(57)【特許請求の範囲】
【請求項１】
床面を開口して床下収納ユニットを設置して成る床下収納ユニット取付構造において、床躯体上に昇降可能な脚体を立設すると共に、床下収納ユニット設置箇所周辺の脚体を下降させて支持フレームを架設し、該支持フレームにて床下収納ユニットを支持して設置して成ると共に、脚体が、支持フレームを架設する床下収納ユニットのレベル、ならびに、床面を構成する乾式二重床等の支持レベル、の２つのレベルに昇降可能であることを特徴とする床下収納ユニット取付構造。
【請求項２】
床躯体上全面にわたって昇降可能な脚体を立設する請求項１記載の床下収納ユニット取付構造。
【発明の詳細な説明】
【０００１】
【発明の属する技術分野】
この出願の発明は、床下収納ユニット取付構造に関するものである。さらに詳しくは、この出願の発明は、床下収納ユニットの設置位置、収納量（サイズ）等に容易に対応して床下収納ユニットを設置することができ、かつ、床衝撃音の発生を減少させることもできる床下収納ユニット取付構造に関するものである。
【０００２】
【従来の技術】
従来、乾式二重床等よりなる住宅の床面を開口し、床下空間部に床下収納庫等の床下収納ユニットを設置する場合には、例えば、床下収納ユニット設置部分の床躯体上に、束、補強用脚等の脚体を立設すると共に、該脚体上に支持フレームを載置し、該支持フレームにて床下収納ユニットを支持して設置していた。
【０００３】
【発明が解決しようとする課題】
しかしながら、上記従来の床下収納ユニットの設置に際しては、床下収納ユニットの設置位置、収納量（サイズ）等が変わる毎に、それに合わせた位置の床躯体上に脚体を立設する必要があり、設置作業に手間がかかり、かつ、振動が脚体に直接伝達するため、床衝撃音の発生を減少させることができないという問題があった。
【０００４】
この出願の発明は、以上の通りの事情に鑑みてなされたものであり、上記の問題点を解消し、床下収納ユニットの設置位置、収納量（サイズ）等に容易に対応して床下収納ユニットを設置することができ、かつ、床衝撃音の発生を減少させることもできる床下収納ユニット取付構造を提供することを目的としている。
【０００５】
【課題を解決するための手段】
この出願の発明は、上記の課題を解決するためになされたものであって、第１の発明は、床面を開口して床下収納ユニットを設置して成る床下収納ユニット取付構造において、床躯体上に昇降可能な脚体を立設すると共に、床下収納ユニット設置箇所周辺の脚体を下降させて支持フレームを架設し、該支持フレームにて床下収納ユニットを支持して設置して成ると共に、脚体が、支持フレームを架設する床下収納ユニットのレベル、ならびに、床面を構成する乾式二重床等の支持レベル、の２つのレベルに昇降可能であることを特徴とする床下収納ユニット取付構造を提供する。
【０００６】
また、第２の発明は、床躯体上全面にわたって昇降可能な脚体を立設する前記の床下収納ユニット取付構造を提供する。
【０００７】
【発明の実施の形態】
この出願の発明は、上記の通りの特徴をもつものであるが、以下、その実施の形態について説明する。
【０００８】
図１は、この出願の発明の一実施例を例示し、（イ）は平面図、（ロ）は正面図、（ハ）は側面図である。
この出願の発明は、例えば、図１（イ）〜（ハ）に例示したように、乾式二重床等よりなる住宅の床面（１）を開口（２）し、床下空間部（３）に床下収納庫等の床下収納ユニット（４）を設置して成る床下収納ユニット取付構造において、床ベース等の床躯体（５）上に、床下収納ユニット（４）の設置レベルに合わせて昇降可能な束、補強用脚等の脚体（６）を通常の施工と同様にして等ピッチで立設すると共に、床下収納ユニット（４）設置箇所周辺の脚体（６）を下降させ、該下降させた前後、左右等、所望の位置の脚体（６）上に、木材、金属等の横架材を載置して四周を囲んで支持フレーム（７）を架設し、該支持フレーム（７）にて床下収納ユニット（４）を支持して設置して成ることを特徴とする床下収納ユニット取付構造に関するものである。
【０００９】
なお、この出願の発明において、床躯体（５）上に昇降可能な脚体（６）を立設する場合には、例えば、床下収納ユニット（４）の設置が予想される領域内に位置する床躯体（５）上に昇降可能な脚体（６）を立設すると共にその他の領域内に位置する床躯体上に昇降しない通常の脚体を立設したり、後述するように、全領域の床躯体上全面にわたって昇降可能な脚体を立設したりすれば良い。
【００１０】
また、床下収納ユニット（４）設置箇所周辺の脚体（６）を下降させて支持フレーム（７）を架設する場合には、例えば、図１（イ）〜（ハ）に例示したように、床下収納ユニット（４）設置箇所周辺の脚体（６）の上端部に固着してまたは一体に受座金物（８）を設け、該受座金物（８）の上面部を支持フレーム（７）の略厚さ（高さ）相当分だけ下降させて支持フレーム（７）を載置し、釘、ビス等の止具で固着して架設すれば良い。
【００１１】
また、支持フレーム（７）にて床下収納ユニット（４）を支持する場合には、例えば、支持フレーム（７）の内周面部に床下収納ユニット（４）の上端外周面部を当接して釘、ビス等の止具で固着したり、床下収納ユニット（４）の上端縁部外側方に鍔片を突設し、該鍔片を支持フレーム（７）裏面に当接して止具で固着したりして支持すれば良い。
【００１２】
また、図１において、（９）は床面（１）の開口（２）を覆蓋する蓋板、（１０）は該蓋板（９）の取手である。
図２は、この出願の発明の異った実施例を例示し、（イ）は平面図、（ロ）は正面図、（ハ）は側面図である。
【００１３】
なお、図２において、図１と同一の部分は同一の符号を付して説明を省略する。
すなわち、この出願の発明の異った実施例を例示した図２（イ）〜（ハ）においては、前述したこの出願の発明の一実施例を例示した図１（イ）〜（ハ）において左側に設置していた床下収納ユニット（４）を右側に設置したものである。
【００１４】
この出願の発明においては、例えば、図１（イ）〜（ハ）および図２（イ）〜（ハ）に例示したように、所望位置の脚体（６）を下降させて支持フレーム（７）を架設し、該支持フレーム（７）にて床下収納ユニット（４）を支持することによって所望の位置に床下収納ユニット（４）を設置することができ、従来のように床下収納ユニットの設置位置が変わる毎に、それに合わせた位置の床躯体上に脚体を立設する必要がなく、設置位置に容易に対応して床下収納ユニット（４）を設置することができ、かつ、振動が脚体（６）間に架設した支持フレーム（７）を介して脚体（６）に伝達し、従来のように支持フレーム直下の脚体に直接伝達することがないので、床衝撃音の発生を減少させることもできる。
【００１５】
図３は、この出願の発明の更に異った実施例を例示し、（イ）は平面図、（ロ）は正面図、（ハ）は側面図である。
なお、図３において、図１と同一の部分には同一の符号を付して説明を省略する。
【００１６】
すなわち、この出願の発明の更に異った実施例を例示した図３（イ）〜（ハ）においては、この出願の発明の一実施例および異った実施例を例示した図１（イ）〜（ハ）および図２（イ）〜（ハ）において１個設置していた床下収納ユニット（４）を２個設置して収納量（サイズ）を増加させたものである。
【００１７】
この出願の発明においては、例えば、図３（イ）〜（ハ）に例示したように、収納量（サイズ）に対応して所望位置の脚体（６）を下降させて支持フレーム（７）を架設し、該支持フレーム（７）にて所望個数の床下収納ユニット（４）を支持することによって所望個数の床下収納ユニット（４）を設置することができ、従来のように床下収納ユニットの収納量（サイズ）が変わる毎に、それに合わせた位置の床躯体上に脚体を立設する必要がなく、収納量（サイズ）に容易に対応して床下収納ユニット（４）を設置することができ、かつ、床衝撃音の発生を減少させることもできる。
【００１８】
また、この出願の発明においては、脚体（６）が２つのレベルである、前述のように支持フレーム（７）を架設するレベル、すなわち、床下収納ユニット（４）に対応したレベル、ならびに、床面（１）を構成する乾式二重床等を支持するレベルに昇降可能に形成しているので、支持フレーム（７）を設置する床下収納ユニット（４）のレベルや、床面（１）を構成する乾式二重床等の支持レベル等のレベル合わせが容易に行える。
【００１９】
図４は、この出願の発明の更に異った実施例を例示した平面図である。
なお、図４において、図１と同一の部分には同一の符号を付して説明を省略する。
【００２０】
すなわち、この出願の発明の更に異った実施例を例示した図４においては、住宅（１１）を構築する全領域の床躯体（５）上全面にわたって前述と同様にして昇降可能な脚体（６）を等ピッチで立設し、住宅（１１）内のどの部屋においても所望の位置の脚体（６）を下降させることによって所望の設置位置に所望収納量（サイズ）の床下収納ユニット（４）を設置することができるようにしたものである。
【００２１】
この出願の発明においては、例えば、図４に例示したように、住宅（１１）内のどの部屋においても所望の設置位置、収納量（サイズ）に容易に対応して床下収納ユニット（４）を設置することができ、かつ、床衝撃音の発生を減少させることもできる。
【００２２】
なお、この出願の発明において、床下収納ユニット、脚体、支持フレームの形状、構造等、詳細については、様々な態様が可能であることは勿論である。
【００２３】
【発明の効果】
以上詳しく説明した通り、この出願の発明によって、床下収納ユニットの設置位置、収納量（サイズ）等に容易に対応して床下収納ユニットを設置することができ、かつ、床衝撃音の発生を減少させることもできる。
【図面の簡単な説明】
【図１】この出願の発明の一実施例を例示し、（イ）は平面図、（ロ）は正面図、（ハ）は側面図である。
【図２】この出願の発明の異った実施例を例示し、（イ）は平面図、（ロ）は正面図、（ハ）は側面図である。
【図３】この出願の発明の更に異った実施例を例示し、（イ）は平面図、（ロ）は正面図、（ハ）は側面図である。
【図４】この出願の発明の更に異った実施例を例示した平面図である。
【符号の説明】
１  床面
２  開口
３  床下空間部
４  床下収納ユニット
５  床躯体
６  脚体
７  支持フレーム
８  受座金物
９  蓋板
１０  取手
１１  住宅
【図１】
0003731483.tif 000002
【図２】
0003731483.tif 000003
【図３】
0003731483.tif 000004
【図４】
0003731483.tif 000005